(57)【特許請求の範囲】
【請求項１】
移送台１により移送中の育苗容器Ａの上方から床土供給装置３により床土を供給し、その後、種子供給装置７５により種子を供給し、その後、覆土供給装置１１５により覆土を供給し、床土供給後覆土供給する前に、上方から、前後一対の灌水部４５により灌水し、前後の灌水部４５のいずれか一方の前側灌水装置４５Ａでは真水灌水とし、いずれか他方の後側薬剤散布用灌水装置４５Ｂでは吸引式の薬剤散布するようにし、育苗容器Ａ一箱あたりの灌水量を増減する場合、後側薬剤散布用灌水装置４５Ｂによる薬剤混合液の散布量は常時一定量とし、前側灌水装置４５Ａの灌水量を増減させるようにした播種方法。
【請求項２】
請求項１において、前記移送台１および床土供給装置３ならびに種子供給装置７５は、作業能力変更自在に構成して、時間当たりの播種しうる育苗容器Ａの数を増減変更可能に構成し、育苗容器Ａ一箱あたりの前側灌水装置４５Ａの灌水量を、時間当たり育苗容器Ａの移送数に対応させて増減させると共に、後側薬剤散布用灌水装置４５Ｂの薬剤混合液の濃度を、後側薬剤散布用灌水装置４５Ｂの散布量の増減に伴う薬剤吸引量の変化に対応させて、予め薬剤吸引量に応じて、時間当たりＬ箱移送しているときにはＸ％の濃度に設定し、時間当たりＭ箱移送しているときにはＹ％の濃度に補正設定し、時間当たりＮ…箱移送しているときにはＺ…％の濃度に、設定する播種方法。
【請求項３】
育苗容器Ａを移送する移送台１の上方に、床土を供給する床土供給装置３と、種子を供給する種子供給装置７５と、覆土を供給する覆土供給装置１１５を設け、前記移送台１の所定位置には、前後一対の灌水部４５により構成した灌水装置Ｋを設け、前後の灌水部４５のいずれか一方は薬剤吸引部５６Ａを有する吸引式の薬剤散布用灌水装置４５Ｂとし、いずれか他方は前記薬剤散布薬剤吸引部５６Ａを有しない灌水装置４５Ａによる真水灌水とするように構成し、育苗容器Ａ一箱あたりの灌水量を増減する場合、後側薬剤散布用灌水装置４５Ｂによる薬剤混合液の散布量は常時一定量とし、前側灌水装置４５Ａの灌水量を増減させるように構成した播種装置。
【発明の詳細な説明】
【技術分野】
【０００１】
本発明は、育苗容器に供給した床土に灌水する灌水方法、および、その装置に関するものである。
【背景技術】
【０００２】
従来、移送台により移送中の育苗容器の上方から床土供給装置により床土を供給し、その後、種子供給装置により種子を供給し、その後、覆土供給装置により覆土を供給し、床土供給後覆土供給する前に、上方から、灌水部により灌水および薬剤散布する播種方法の構成は、公知である（特許文献１参照）
【特許文献１】特開２００３−１１６３６２号公報
【発明の開示】
【発明が解決しようとする課題】
【０００３】
前記公知例は、一カ所の灌水部により薬剤を吸引して灌水するため、床土の性状等に起因して、灌水の水量を増減させると、薬剤吸引量の増加割合は、水量の増加割合に対して比例しないので、一々、吸引する薬剤の濃度を変更しなければならず、設定が非常に面倒あるという課題がある。
即ち、例えば、育苗容器一箱あたり２０００ミリリットル灌水する場合、仮に、吸引される薬剤が５００ミリリットルとすると、水は残りの１５００ミリリットルとなるが、これを、単に、２倍に増加させて育苗容器一箱あたり４０００ミリリットル灌水するとすると、薬剤吸引量が２倍の１０００ミリリットルとはならず、薬剤濃度が変化してしまう。
そのため、育苗容器一箱あたりの灌水量を増減させたい場合でも、一々、吸引する薬剤の濃度を変更しなければならず、設定が非常に面倒になるのである。
また、前記公知例では、薬剤吸引部を有する一カ所の灌水部により灌水するため、播種数量が少なく灌水の水量が少くないときには、隣接するノズル孔からの水が合わさって流下して均等に撒水できず、また、薬剤吸引部があるため灌水水量の増加には限界があり、灌水量の変更しうる範囲には限界があるという課題がある。
そのため、時間当たりの播種しうる育苗容器の数を増減変更可能に構成した播種装置では、最低可能箱数と最高可能箱数との差を大きくできないという課題がある。
本願は、前後一対の灌水部を設け、一方を薬剤散布用灌水装置専用とすることで、簡単に灌水できるようにすると共に、灌水量の変更しうる範囲を広くできるように工夫したものである。
【課題を解決するための手段】
【０００４】
本発明は、移送台１により移送中の育苗容器Ａの上方から床土供給装置３により床土を供給し、その後、種子供給装置７５により種子を供給し、その後、覆土供給装置１１５により覆土を供給し、床土供給後覆土供給する前に、上方から、前後一対の灌水部４５により灌水し、前後の灌水部４５のいずれか一方の前側灌水装置４５Ａでは真水灌水とし、いずれか他方の後側薬剤散布用灌水装置４５Ｂでは吸引式の薬剤散布するようにし、育苗容器Ａ一箱あたりの灌水量を増減する場合、後側薬剤散布用灌水装置４５Ｂによる薬剤混合液の散布量は常時一定量とし、前側灌水装置４５Ａの灌水量を増減させるようにした播種方法としたものである。
本発明は、前記移送台１および床土供給装置３ならびに種子供給装置７５は、作業能力変更自在に構成して、時間当たりの播種しうる育苗容器Ａの数を増減変更可能に構成し、育苗容器Ａ一箱あたりの前側灌水装置４５Ａの灌水量を、時間当たり育苗容器Ａの移送数に対応させて増減させると共に、後側薬剤散布用灌水装置４５Ｂの薬剤混合液の濃度を、後側薬剤散布用灌水装置４５Ｂの散布量の増減に伴う薬剤吸引量の変化に対応させて、予め薬剤吸引量に応じて、時間当たりＬ箱移送しているときにはＸ％の濃度に設定し、時間当たりＭ箱移送しているときにはＹ％の濃度に補正設定し、時間当たりＮ…箱移送しているときにはＺ…％の濃度に、設定する播種方法としたものである。
本発明は、育苗容器Ａを移送する移送台１の上方に、床土を供給する床土供給装置３と、種子を供給する種子供給装置７５と、覆土を供給する覆土供給装置１１５を設け、前記移送台１の所定位置には、前後一対の灌水部４５により構成した灌水装置Ｋを設け、前後の灌水部４５のいずれか一方は薬剤吸引部５６Ａを有する吸引式の薬剤散布用灌水装置４５Ｂとし、いずれか他方は前記薬剤散布薬剤吸引部５６Ａを有しない灌水装置４５Ａによる真水灌水とするように構成し、育苗容器Ａ一箱あたりの灌水量を増減する場合、後側薬剤散布用灌水装置４５Ｂによる薬剤混合液の散布量は常時一定量とし、前側灌水装置４５Ａの灌水量を増減させるように構成した播種装置としたものである。
【発明の効果】
【０００５】
請求項１の発明では、前側灌水装置４５Ａの水量だけを増減すればよく、簡単に灌水量を増減させることができ、操作性および作業性を向上させることができ、灌水装置４５Ａの水量だけを増減すればよく、薬剤散布用灌水装置４５Ｂによる薬剤散布は同じ希釈濃度の薬剤を一定量散布すればよいので、操作性および作業性を頗る向上させることができる。
請求項２の発明では、薬剤は後側薬剤散布用灌水装置４５Ｂで専用に散布するため、前側灌水装置４５Ａの灌水量および後側薬剤散布用灌水装置４５Ｂの薬剤散布量の変更しうる範囲の幅を大きくでき、その結果、時間当たりの播種しうる育苗容器の数の範囲を広くすることができ、作業効率を向上させることができ、また、薬剤濃度設定も、予め、専用の薬剤散布用灌水装置４５Ｂの水量から吸引量を割り出せばよいので、容易にできる。
請求項３の発明では、二カ所の灌水部４５により灌水し、薬剤は後側薬剤散布用灌水装置４５Ｂで専用に散布するため、灌水量（薬剤量）の変更しうる範囲の幅を大きくでき、その結果、時間当たりの播種しうる育苗容器の数の範囲を広くすることができ、作業効率を向上させることができ、また、薬剤濃度設定も、予め、専用の後側薬剤散布用灌水装置４５Ｂの水量から吸引量を割り出せばよいので、容易にできる。
【発明を実施するための最良の形態】
【０００６】
本発明の方法を実施する播種装置Ｈの例を図面により説明すると、１は播種装置Ｈの育苗容器Ａを移送する移送台であり、図示は省略するが、育苗容器Ａを移送する移送ロール等の移送手段を設ける。３は移送台１に設けた床土供給装置であり、床土供給装置３は公知の構成であり、上部に床土供給ホッパー４を設け、床土供給ホッパー４の下方に床土繰出ベルト（図示省略）を設けて構成する。
床土供給装置３の移送方向下手側の前記移送台１には、床土均平装置６を設ける。床土均平装置６は前後一対の前側回転ブラシ７と後側回転ブラシ８とを設けて構成する。前後側回転ブラシ７、８は前記育苗容器Ａに余分に供給した床土を所定量掻取りながら均平するものである。
前記前側（上手側）回転ブラシ７は、その前側ブラシ回転軸１２の両端を左右一対の前側アーム１３に軸装し、前側アーム１３の基部は前側基部回転軸１４により移送台１に回動自在に取付ける。同様に、後側（下手側）回転ブラシ８は、その後側ブラシ回転軸１５の両端を左右一対の後側アーム１６に軸装し、後側アーム１６の基部は後側基部回転軸１７により移送台１に回動自在に取付ける。
【０００７】
前側回転ブラシ７および後側回転ブラシ８には、高さ調節装置２０を設ける。
移送台１に設けた左右のフレーム側板２１の挿通孔２３に前記前側ブラシ回転軸１２および後側ブラシ回転軸１５を挿通する。フレーム側板２１より側方に突出する前側回転ブラシ７の前側ブラシ回転軸１２の両端には牽引支持部材２４の下部を夫々取付け、各牽引支持部材２４の上部には調節螺子軸２５の下部を螺合させ、調節螺子軸２５を回転させると、牽引支持部材２４は調節螺子軸２５に対して上下動する。
左右の調節螺子軸２５の上部は左右方向の連結軸２７に回転自在に取付け、調節螺子軸２５の上端に設けたダイヤル２８を持ち上げると、連結軸が上動し、前記フレーム側板２１の上縁に設けた複数ある切替用係合段部３２のうち何れかに選択係合させる。
【０００８】
しかして、移送台１の所定位置には、灌水装置Ｋを設ける。灌水装置Ｋは、前後一対の灌水部４５により構成し、前後の灌水部４５のいずれか一方の灌水部４５は真水灌水とし、いずれか他方の灌水部４５は薬剤散布するように構成する。
この場合、灌水部４５の前後は後述する種子供給装置７５を基準に、種子を供給する前に行う灌水する前灌水と、種子の供給後に行う灌水を後灌水と当業者は呼んでおり、実施例では、前側回転ブラシ７の下手側の灌水部４５を前側灌水装置４５Ａとし、種子供給装置７５の下手側の灌水部４５は後側薬剤散布用灌水装置４５Ｂとしている。
前側灌水装置４５Ａと後側薬剤散布用灌水装置４５Ｂの構成は任意であるが、前側灌水装置４５Ａは前後一対の灌水横筒部４６に所定間隔を置いてノズル孔４７を形成し、各灌水横筒部４６の一端は栓４８により閉塞し、他端は連結パイプ４９に着脱および回転自在に取付け、後側薬剤散布用灌水装置４５Ｂは一本の灌水横筒部４６に所定間隔を置いてノズル孔４７を形成し、灌水横筒部４６の一端は栓４８により閉塞し、他端は連結パイプ４９に着脱および回転自在に取付けている。
【０００９】
前側灌水装置４５Ａと後側薬剤散布用灌水装置４５Ｂの夫々の連結パイプ４９は、共に、前後中央位置に立ち上がり筒部５０を連結し、立ち上がり筒部５０には上側横筒部５１の一端を接続する。上側横筒部５１には、水量計（圧力計）５２と調節バルブ５３と自動開閉バルブ５４とリリーフ弁５５とホース接続部５６を設けている。調節バルブ５３はダイヤル５３Aにより開閉して通水量を増減させる。自動開閉バルブ５４は、所定の場合自動的にバルブ（図示省略）を閉鎖して灌水を停止させる。また、リリーフ弁５５は通水圧力が所定以上になると自動的に通水圧力を減少させる。
ホース接続部５６には水源（図示省略）に接続したホース６３を接続する。
また、後側薬剤散布用灌水装置４５Ｂの上側横筒部５１には薬剤を入れたタンク６３Ａに接続したホース６３Ｂを接続する薬剤吸引部５６Ａを設ける。薬剤吸引部５６Ａは、公知構成のベルヌーイの原理による吸引方式の構成であり、ノズル５６Ｂと大径の負圧室５６Ｃと小径部５６Ｄを有して構成している。
【００１０】
なお、前側灌水装置４５Ａでは薬剤を吸引させる必要がなく、かつ、通水量を多くするために、薬剤吸引部５６Ａを省略する（図３）。
前後の灌水部４５は、灌水横筒部４６と連結パイプ４９と立ち上がり筒部５０と上側横筒部５１により灌水パイプ５７を構成し、灌水パイプ５７は前記移送台１に設けた灌水フレーム５８に着脱自在に取付けて構成する。灌水フレーム５８は、左右一対の板部材により形成した中央フレーム５９の上面前後中間位置に、灌水パイプ５７の上側横筒部５１を支持する中央支持部６０を設ける。中央フレーム５９の前後両側にはアーム部６１を設け、アーム部６１には灌水パイプ５７の灌水横筒部４６を支持する灌水筒支持部６２を設ける。
灌水パイプ５７は、灌水パイプ５７の各部を灌水フレーム５８の中央支持部６０と灌水筒支持部６２に載置し、この灌水パイプ５７の上方にカバー６５を載置して、カバー６５を灌水フレーム５８に止着具６６により固定して取付ける。
【００１１】
したがって、灌水パイプ５７を灌水フレーム５８に載せてカバー６５により押えるだけであるから、灌水パイプ５７は灌水フレーム５８とカバー６５により上下に挟持されることになり、簡単な支持構成でありながら着脱が容易になる。
しかして、灌水装置Ｋの床土の性状等の起因する灌水量の変更は、後側薬剤散布用灌水装置４５Ｂの薬剤混合液の散布量を予め一定量とし、前側灌水装置４５Ａの灌水量を増減させて、所定の灌水量の水を灌水するように設定する。
即ち、前側灌水装置４５Ａの灌水量は、バルブの開閉により略比例的に変化するが、後側薬剤散布用灌水装置４５Ｂの薬剤吸引量は安定して比例変化しないので、後側薬剤散布用灌水装置４５Ｂの薬剤混合液の散布量は、予め一定量とし、前側灌水装置４５Ａの灌水量を増減させて対応する。
【００１２】
例えば、育苗容器Ａ一箱あたり２０００ミリリットル灌水する場合、後側薬剤散布用灌水装置４５Ｂの薬剤混合液の散布量は常時５００ミリリットルの一定量の設定とし、前側灌水装置４５Ａの灌水量を１５００ミリリットルとする。
次に、育苗容器Ａ一箱あたり３０００ミリリットル灌水する場合、後側薬剤散布用灌水装置４５Ｂの薬剤混合液の散布量は常時５００ミリリットルの一定量の設定とし変更せず、前側灌水装置４５Ａの灌水量を１０００ミリリットル増加させて２５００ミリリットルとする。
そのため、薬剤混合液の希釈倍率を、灌水量の増減の度に変更しないで済み、灌水および薬剤散布の設定を容易にする。
次に、前記播種装置Ｈは、例えば、時間当たり３００〜９００箱の育苗容器Ａに播種しうるように構成しているため、前記移送台１および床土供給装置３ならびに種子供給装置７５等は、インバータモータ(図示省略)により、回転数を変更して駆動させたり、あるいは、定格回転モータ(図示省略)の回転を伝達する歯車を交換してギヤ比を変更したりする等の任意の手段により、作業速度や供給量の変更が可能となるように構成しており、同様に、灌水部４５も、播種する育苗容器Ａの数により灌水量を変更する。
【００１３】
この場合、灌水量の変更は、予め基準灌水量を設定しうえで、基準灌水量に対して前側灌水装置４５Ａの灌水量および後側薬剤散布用灌水装置４５Ｂの散布量を増減させるように設定すると共に、後側薬剤散布用灌水装置４５Ｂの薬剤混合液の濃度を変更して実質薬剤散布量に補正するように設定する構成にする。
即ち、前側灌水装置４５Ａの灌水量は、バルブの開閉により略比例的に変化するが、後側薬剤散布用灌水装置４５Ｂの薬剤吸引量は安定して比例変化しないので、後側薬剤散布用灌水装置４５Ｂの薬剤混合液の散布量は、散布用の通水量に対する所定濃度に変更して対応する。
例えば、育苗容器Ａ一箱あたり２０００ミリリットル灌水する場合、時間当たり３００箱移送しているときには、後側薬剤散布用灌水装置４５Ｂの薬剤混合液の散布量は５００ミリリットルの一定量とし、前側灌水装置４５Ａの灌水量を１５００ミリリットルと設定し、これを基準に、時間当たり６００箱のときには、移送台１による育苗容器Ａの移送速度は培速くなるので、育苗容器Ａ一箱あたり５００ミリリットルの薬剤混合液が入るように、後側薬剤散布用灌水装置４５Ｂのノズル孔４７からの薬剤混合液の散布量を１０００ミリリットルとし、同様に、前側灌水装置４５Ａの灌水量を育苗容器Ａ一箱あたり３０００ミリリットルとすればよい。
【００１４】
同様に、時間当たり９００箱のときには、移送台１による育苗容器Ａの移送速度は３培速くなるので、後側薬剤散布用灌水装置４５Ｂのノズル孔４７からの薬剤混合液の散布量は１５００ミリリットルとし、前側灌水装置４５Ａのノズル孔４７からの灌水量を４５００ミリリットルとすればよい。
そして、後側薬剤散布用灌水装置４５Ｂの散布量を増減させる場合、水の流量に対して薬剤吸引量は安定して比例変化しないので、予め薬剤吸引量に応じて吸引薬剤の濃度を設定し、例えば、時間当たりＬ箱（３００箱）移送しているときにはＸ％の濃度に設定し、時間当たりＭ箱（６００箱）移送しているときにはＹ％の濃度に補正設定し、時間当たりＮ…箱（９００箱）移送しているときにはＺ…％の濃度に夫々予め補正設定する。
そのため、薬剤混合液の濃度を変更するにしても、予め、設定濃度の薬剤を混合するだけであるので、容易に薬剤を用意できる。
【００１５】
また、後側薬剤散布用灌水装置４５Ｂは、薬剤混合液を専用に散布し、それも、灌水に対して一定量に設定して散布するので、単独の薬剤吸引部５６Ａにより吸引散布させられる。
即ち、従来のように、単独の灌水部４５により薬剤散布する場合には、灌水量の増加と共に、吸引量を増加させ、仮に、１５００ミリリットルから６０００ミリリットルまで水と薬剤を薬剤吸引部５６Ａを通過させることになり、到底一種類の薬剤吸引部５６Ａでは限界を越えることになり、その結果、時間当たりの播種可能箱数の範囲も狭くなるが、本願の方法によれば、後側薬剤散布用灌水装置４５Ｂでは薬剤混合液のみを散布すればよく、散布量は例えば５００ミリリットルから１５００ミリリットルの範囲でよいので、充分、単独の薬剤吸引部５６Ａで対応可能になる。
【００１６】
しかして、灌水フレーム５８は、左右一対の板部材により形成した中央フレーム５９の上面前後中間位置に、灌水パイプ５７の上側横筒部５１を支持する中央支持部６０を設ける。中央フレーム５９の前後両側にはアーム部６１を設け、アーム部６１には灌水パイプ５７の灌水横筒部４６を支持する灌水筒支持部６２を設ける。
灌水パイプ５７は、灌水パイプ５７の各部を灌水フレーム５８の中央支持部６０と灌水筒支持部６２に載置し、この灌水パイプ５７の上方にカバー６５を載置して、カバー６５を灌水フレーム５８に止着具６６により固定して取付ける。
したがって、灌水パイプ５７を灌水フレーム５８に載せてカバー６５により押えるだけであるから、灌水パイプ５７は灌水フレーム５８とカバー６５により上下に挟持されることになり、簡単な支持構成でありながら着脱が容易になる。
それゆえ、カバー６５は、灌水パイプ５７を上方から押えらることができる形状であればよく、上側横筒部５１に当接する上部天板６７と上部天板６７に連設する灌水横筒部４６の上面に当接するノズル当接部６８と、前記水量計５２等を回避する開口窓部６９を有して構成していればよい。開口窓部６９は水量計５２を避けて上方に抜くように外せる大きさに形成する。７０は灌水フレーム５８に設けた止着具６６が螺合するナットである。
７２は育苗容器Ａの前壁３３の隅の床土を均平する前壁隅取り均平装置である。
【００１７】
しかして、灌水装置４５Ａの下手側には、種子供給装置７５を設ける。種子供給装置７５は、前記移送台１の上方に上下自在に設けた側板７７に、種子供給ホッパー７８を着脱自在に取付ける。図示は省略するが、種子供給ホッパー７８の上方に補助ホッパーを設けることもある。
種子供給ホッパー７８の下部は漏斗状に後側誘導板７９と前側誘導板８０を設ける。後側誘導板７９の下端は、前側誘導板８０に対して所定間隔を置いて設けてホッパー供給口８１を形成する。前記後側誘導板７９の下面には前記ホッパー供給口８１の開口量を調節する供給量調節板８２を移動自在に取付ける。
前側誘導板８０の先端近傍には、種子を繰出す軸心が左右方向の大径の横軸繰出ロール８４を設ける。横軸繰出ロール８４の外周面には、母線方向（左右方向）に平行な横条溝形状の繰出凹部８５を所望の間隔をおいて全周に形成する。繰出凹部８５は円周方向に種子が横向き１列または２列程度に嵌合する幅に形成される。横軸繰出ロール８４の外周面には母線方向（左右方向）に一粒の種子の横向きの幅より短かい間隔をおいてスリット８６を全周に設ける。スリット８６の深さは繰出凹部８５と略同じか若干深く形成し、各スリット８６には掻出用ナイフ８７を嵌合させる。
【００１８】
前記横軸繰出ロール８４の上方位置（正確には横軸繰出ロール８４の真上よりも稍後側）には回転均平ブラシ８８を設け、回転均平ブラシ８８は任意の手段により駆動回転させて繰出凹部８５に嵌合しないで横軸繰出ロール８４と共回りする過剰種子を、前記供給口ホッパー供給口８１側の種子溜り部８９へ掃き戻す。
前記種子溜り部８９には、開口部９０を形成し、開口部９０にはシャッタ９１を設ける。シャッタ９１は、横軸繰出ロール８４に対して遠近調節自在で且つ着脱自在に取付ノブ９２により前側誘導板８０の下面に取付ける。
開口部９０の下方には排出誘導体９３を設ける。排出誘導体９３は、排出誘導体９３は、種子溜り部８９に残留した残留種子を排出するときに、種子供給装置７５の周囲に飛散するのを防止するために設けたものであり、板部材により形成し、種子供給装置７５の左右の側板７７の間の全幅一杯に取付ける。排出誘導体９３は、上部には上方に至るに従い前側となるように前上りの上側傾斜部９４を設け、上側傾斜部９４の下部には横軸繰出ロール８４の外周面に対して所定の間隔おいて位置する縦板部９５を形成し、縦板部９５と横軸繰出ロール８４の外周面の間に誘導路９６を形成する。縦板部９５の下部は後下がりの下側傾斜部９７に形成し、誘導路９６から種子供給装置７５の下方の移送台１に設けた種子回収容器９８（箱）に種子の落下を誘導する。
【００１９】
９９は、前記横軸繰出ロール８４の後面に設けられ、繰出凹部８５に嵌合した種子を上方位置から下方位置まで傷めないように誘導する種子誘導カバーである。
しかして、種子供給装置７５の下手側には種子落とし回転ブラシ１０５を設ける。種子落とし回転ブラシ１０５の下手側には覆土供給装置１１５を設ける。覆土供給装置１１５は公知の構成であり、上部に供給ホッパー１１６を設け、供給ホッパー１１６の下方に覆土繰出ベルト（図示省略）を設けて構成する。覆土供給装置１１５の下手側には覆土均平ブラシ１１８を設ける。
【００２０】
（実施例の作用）
床土を供給した育苗容器Ａを移送台１に供給すると、移送ロール２により移送されて、前側回転ブラシ７の下方を通過するとき、所定量掻き取られる。
次に、前側灌水装置４５Ａの下方に育苗容器Ａが至ると、灌水され、種子供給装置７５の下方に育苗容器Ａが至ると、種子の供給を受け、後側薬剤散布用灌水装置４５Ｂにより薬剤散布され、種子落とし回転ブラシ１０５により育苗容器Ａの周壁上面の種子を落とし、覆土供給装置１１５の下方に育苗容器Ａが至ると、覆土の供給を受け、播種作業が終了する。
この場合、移送台１の所定位置に設けた灌水装置Ｋは、前後一対の灌水部４５により構成し、前後の灌水部４５のいずれか一方は前側灌水装置４５Ａによる真水灌水とし、いずれか他方は後側薬剤散布用灌水装置４５Ｂによる薬剤散布するように構成しているから、いずれか一方の前側灌水装置４５Ａで真水を灌水し、いずれか他方の後側薬剤散布用灌水装置４５Ｂで薬剤散布することができ、灌水量の設定が容易になる。
【００２１】
即ち、単独の灌水部４５により灌水量を変更するために、単に開閉バルブを開閉させたのでは、薬剤吸引部５６Ａが通水させる水量と薬剤吸引量が比例して増加しないので、いちいち、薬剤濃度を設定しなければならず、非常に面倒であったが、本願では、灌水装置Ｋを、前後一対の灌水部４５により構成し、通常の灌水量の変更する場合では、後側薬剤散布用灌水装置４５Ｂの散布量は常時一定とし、前側灌水装置４５Ａの灌水量を増減させるだけで対応することができる。
したがって、排水性・保水性等の床土の性状や、育苗容器Ａの床土の量等により起因する灌水量の設定は、単純に灌水量の設定だけで済み、頗る容易になる。
例えば、仮に、育苗容器Ａ一箱あたり２０００ミリリットル灌水する場合を基準として設定する場合、後側薬剤散布用灌水装置４５Ｂの薬剤混合液の散布量は常時５００ミリリットルの一定量の設定とすると、前側灌水装置４５Ａの灌水量を１５００ミリリットルとし、次に、育苗容器Ａ一箱あたり３０００ミリリットル灌水する場合では、後側薬剤散布用灌水装置４５Ｂの薬剤混合液の散布量は常時５００ミリリットルと変更せず、前側灌水装置４５Ａの灌水量を２５００ミリリットルと真水１０００ミリリットル増加させ、反対に、育苗容器Ａ一箱あたり１５００ミリリットル灌水する場合では、後側薬剤散布用灌水装置４５Ｂの薬剤混合液の散布量は常時５００ミリリットルで変更せず、前側灌水装置４５Ａの灌水量を１０００ミリリットルとして真水を５００ミリリットル減少させればよい。
【００２２】
そのため、薬剤混合液の希釈倍率を、灌水量の増減の度に変更しないで済み、灌水および薬剤散布の設定を容易にする。
しかして、播種装置Ｈは、時間当たり例えば３００〜９００箱の育苗容器Ａに播種しうるように構成しているため、前記移送台１および床土供給装置３ならびに種子供給装置７５等は、インバータモータ(図示省略)によって回転数を変更して駆動させたり、あるいは、定格回転モータ(図示省略)の回転を伝達する歯車を交換してギヤ比を変更したりする等の任意の手段により、作業速度や供給量の変更が可能となるように構成しており、同様に、灌水部４５も、播種する育苗容器Ａの数により灌水量を変更するが、このときは、床土の性状や散布する薬剤の混合割合を予め前記のように設定したうえで、前側灌水装置４５Ａおよび後側薬剤散布用灌水装置４５Ｂの灌水量を増減させて、所定の灌水量の水を灌水するように設定すると共に、後側薬剤散布用灌水装置４５Ｂの薬剤混合液の濃度を変更して実質薬剤散布量を設定する。
【００２３】
例えば、仮に、時間当たり３００箱移送しているときに、育苗容器Ａ一箱あたり２０００ミリリットル灌水する場合、後側薬剤散布用灌水装置４５Ｂの薬剤混合液の散布量は５００ミリリットルとし、前側灌水装置４５Ａの灌水量を１５００ミリリットルと設定し、これを基準に、時間当たり６００箱のときには、移送台１による育苗容器Ａの移送速度は２培速くなるので、育苗容器Ａ一箱あたり５００ミリリットルの薬剤混合液を入れるために、後側薬剤散布用灌水装置４５Ｂのノズル孔４７からの薬剤混合液の散布量を５００ミリリットル増加させて１０００ミリリットル散布し、同様に、育苗容器Ａ一箱あたり灌水量が１５００ミリリットル入るように、ノズル孔４７からの灌水量を２倍の３０００ミリリットルとすればよい。
【００２４】
同様に、時間当たり９００箱のときには、移送台１による育苗容器Ａの移送速度は３培速くなるので、後側薬剤散布用灌水装置４５Ｂのノズル孔４７からの薬剤混合液の散布量は基準の３倍の１５００ミリリットルとし、前側灌水装置４５Ａのノズル孔４７からの灌水量を基準の３倍の４５００ミリリットルとすればよい。
そして、後側薬剤散布用灌水装置４５Ｂの散布量を増減させる場合、水の流量に対して薬剤吸引量は安定して比例変化しないので、予め薬剤吸引量に応じて吸引薬剤の濃度を設定し、例えば、薬剤混合液のノズル孔４７からの散布量が５００ミリリットルの場合はＸ％濃度とし、薬剤混合液のノズル孔４７の散布量が１０００ミリリットルの場合はＹ％濃度とし、薬剤混合液のノズル孔４７の散布量が１５００ミリリットルの場合はＺ％濃度とすればよい。
【００２５】
このように、灌水するのに、単独の灌水部４５による薬剤散布では、１５００ミリリットルから６０００ミリリットルまで水と薬剤を、ノズル５６Ｂと小径部５６Ｄを有する薬剤吸引部５６Ａを通過させなければならず、通水量の増加させるには限界があり、その結果、時間当たりの播種可能箱数の範囲も狭くなるが、本願の方法によれば、薬剤混合液の散布量は、前記したように、例えば５００ミリリットルから１５００ミリリットルの範囲でよいので、充分、単独の薬剤吸引部５６Ａで対応可能になり、しかも、前側灌水装置４５Ａでは薬剤吸引部５６Ａを省略できるので、通水量の増加は可能となって、時間当たりの播種可能箱数の範囲も広くできる。
【００２６】
しかして、灌水部４５による灌水は、種子を供給する前に灌水する前灌水と、種子を供給後に行う後灌水とがあり、作業者の経験等により種々選択して行う。
灌水部４５は、灌水パイプ５７を、その灌水横筒部４６と上側横筒部５１とを灌水フレーム５８の中央支持部６０と灌水筒支持部６２に載置し、灌水パイプ５７の上方からカバー６５を載置して、カバー６５を灌水フレーム５８に止着具６６により固定して取付けるから、灌水パイプ５７の着脱は頗る容易にでき、前灌水と後灌水の作業を容易に選択できる。
また、灌水パイプ５７は灌水フレーム５８に載せてカバー６５により押えるだけであるから、灌水パイプ５７は灌水フレーム５８とカバー６５により上下に挟持されることになり、簡単な支持構成でありながら着脱が容易になる。
また、種子供給装置７５の手前の前灌水を選択したときには、前側灌水装置４５Ａの直ぐ下手側の移送台１に後側薬剤散布用灌水装置４５Ｂを続けて設けても良い。
【図面の簡単な説明】
【００２７】
【図１】播種装置全体側面図。
【図２】土均平装置の側面図。
【図３】灌水装置（前側灌水装置）の斜視図。
【図４】同側面図。
【図５】灌水装置（後側灌水装置）の斜視図。
【図６】吸引部の概略図。
【図７】吸引部の断面図。
【図８】種子供給装置の側面図。
【符号の説明】
【００２８】
１…移送台、３…床土供給装置、４…床土供給ホッパー、６…土均平装置、８…後側回転ブラシ、７…前側回転ブラシ、１５…後側ブラシ回転軸、１６…後側アーム、１７…後側基部回転軸、１２…前側ブラシ回転軸、１３…前側アーム、１４…前側基部回転軸、２０…高さ調節装置、２１…フレーム側板、２２…カバー、２４…牽引支持部材、２５…調節螺子軸、２６…螺合用ナット、２７…連結軸、２８…ダイヤル、２９…係合用ナット、３０…ロック用ナット、３１…バネ、３３…前壁、３５…連動杆、３６…取付軸、３７…長孔、３８…螺子孔、３９…ガイド、４０…ブラシ歯車、４１…ブラシ伝達用歯車、４５…灌水部、４５Ａ…前側灌水装置、４５Ｂ…後側薬剤散布用灌水装置、４６…灌水横筒部、４７…ノズル孔、４８…栓、４９…連結パイプ、５０…立ち上がり筒部、５１…上側横筒部、５２…水量計（圧力計）、５３…調節バルブ、５４…自動開閉バルブ、５５…リリーフ弁、５６…ホース接続部、５６Ａ…薬剤吸引部、５６Ｂ…ノズル、５６Ｃ…負圧室、５６Ｄ…小径部、５７…灌水パイプ、５８…灌水フレーム、５９…中央フレーム、６０…中央支持部、６１…アーム部、６２…灌水筒支持部、６３…ホース、６３Ａ…タンク、６３Ｂ…ホース、６５…カバー、６６…止着具、６７…上部天板、６８…ノズル当接部、６９…開口窓部、７０…ナット、７２…前壁隅取り均平装置、７５…種子供給装置、７７…側板、７８…種子供給ホッパー、７９…後側誘導板、８０…前側誘導板、８１…ホッパー供給口、８２…供給量調節板、８３…調節ダイヤル、８４…横軸繰出ロール、８５…繰出凹部、８６…スリット、８７…掻出用ナイフ、８９…種子溜り部、９０…開口部、９１…シャッタ、９２…取付ノブ、９３…排出誘導体、９４…上側傾斜部、９５…縦板部、９６…誘導路、９８…種子回収容器、９９…種子誘導カバー、１１５…覆土供給装置、１１６…供給ホッパー。
【図１】
0004963460.tif 000002
【図２】
0004963460.tif 000003
【図３】
0004963460.tif 000004
【図４】
0004963460.tif 000005
【図５】
0004963460.tif 000006
【図６】
0004963460.tif 000007
【図７】
0004963460.tif 000008
【図８】
0004963460.tif 000009